(57)【要約】【課題】送風装置を備えた機器において、メンテナンス作業等を目的としたルーバの開放時における安全性を確保することを目的とする。【解決手段】送風装置５を内蔵する本体１と、前記送風装置５の通気口６に対向して設置するルーバ３を備え、前記ルーバ３は閉止位置と開放位置の間の所定位置において、それ以上の開放を規制する開閉規制杆１０を備えことにより、メンテナンスに必要十分な位置で、ルーバ３を停止保持することができるため、メンテナンス時に送風装置５を停止することを忘れた場合でも、作業の安全性を確保することができる。【選択図】図２
2007135655.tif 000002
【特許請求の範囲】
【請求項１】
送風装置を内蔵する本体と、前記送風装置の通気口に対向して設置するルーバを備え、前記ルーバは送風装置の通気口を隠蔽する閉止位置と通気口を開放する開放位置との間で揺動開閉可能に枢支し、前記閉止位置と開放位置との間の規制位置において、ルーバのそれ以上の開放を規制する開閉規制杆を備えた通気口部材。
【請求項２】
開閉規制杆はルーバの裏面に設置し、開閉規制杆の先端に設けた係止片が本体に係止することにより開閉規制を行う請求項１に記載の通気口部材。
【請求項３】
開閉規制杆は、ルーバに固定した固定杆と、係止片を有する可動杆を備え、前記固定杆と可動杆をねじで羅合した構成の請求項２に記載の通気口部材。
【請求項４】
可動杆は先端に上方に突起する係止片を備え、固定杆と可動杆を螺合するねじを緩めることにより、可動杆がねじを枢支軸として下方に回動することにより、前記係止片と本体との係止状態が解除される構成の請求項３に記載の通気口部材。
【請求項５】
ルーバの裏面にフィルタを着脱自在に収容した請求項１〜４のいずれか１項に記載の通気口部材。
【請求項６】
ルーバの下端を枢支し、規制杆を左右両側部近傍に設置した構成の請求項１〜５のいずれか１項に記載の通気口部材。
【請求項７】
請求項１〜６のいずれか１項記載の通気口部材を使用した脱臭機。
【発明の詳細な説明】
【技術分野】
【０００１】
本発明は送風装置を備えた機器における、ルーバ開放時の安全を確保する通気口部材に関するものである。
【背景技術】
【０００２】
従来、この種の送風装置を備えた機器は、送風する空気中の埃を捕集するフィルタの清掃を一般の使用者が実施することが多く、前記メンテナンス時の安全性を確保するための機能を備えることが必須の要件となっている。メンテナンス時の安全確保の方法としては、メンテナンス時には電源を切断して作業を行うのが基本であるが、通電したままでメンテナンス作業を開始した場合には、送風装置の通風口に設けた通気口部材を取り外した時点で、通気口部材の着脱を検知して送風装置の通電を停止することにより安全性を確保している（例えば、特許文献１参照）。
【特許文献１】特開平１１−８３０９５号公報
【発明の開示】
【発明が解決しようとする課題】
【０００３】
しかしながら、前記従来の構成では、安全性確保のために専用のスイッチを設ける必要があり、構造が複雑になり、生産性およびコストが高くなるという課題を有していた。また、修理を行う場合においては、ルーバを開放状態で送風装置の運転状態を確認する必要性あり、このような場合従来の構成では対応しにくいという課題もあった。
【０００４】
本発明は、前記従来の課題を解決するもので、送風装置を備えた機器において、メンテナンス作業等を目的としたルーバの開放時における安全性の確保を簡単な構成で提供することを目的とする。
【課題を解決するための手段】
【０００５】
前記従来の課題を解決するために、本発明の通気口部材は、送風装置を内蔵する本体と、前記送風装置の通気口に対向して設置するルーバを備え、前記ルーバは閉止位置と開放位置との間の所定位置において、ルーバのそれ以上の開放を規制する開閉規制杆を備えた構成としたものである。
【０００６】
これによって、メンテナンスに必要十分な位置で、ルーバを停止保持することができるため、メンテナンス時に送風装置を停止することを忘れた場合でも、作業の安全性を確保することができる。
【発明の効果】
【０００７】
本発明の通気口部材は、簡単な構成でルーバの必要以上の開放を規制し、メンテナンス作業における安全性をすることができる。
【発明を実施するための最良の形態】
【０００８】
第１の発明は送風装置を内蔵する本体と、前記送風装置の通気口に対向して設置するルーバを備え、前記ルーバは送風装置の通気口を隠蔽する閉止位置と通気口を開放する開放位置との間で揺動開閉可能に枢支し、前記閉止位置と開放位置との間の規制位置において、ルーバのそれ以上の開放を規制する規制杆を備えることにより、ルーバが規制位置で規制されている状態において、本体外部から送風装置に手が触れることがなく、メンテナンスに必要十分な位置で、ルーバを停止保持することとなりメンテナンス時に送風装置を停止することを忘れた場合でも、作業の安全性を確保することができる。
【０００９】
第２の発明は、特に、第１の発明の開閉規制杆をルーバの裏面に設置し、開閉規制杆の先端に設けた係止片が本体に係止することにより開閉規制を行う構成とすることにより、ルーバを開放しようとすると、ルーバが規制位置まで開放した時に、開閉規制杆の係止片が本体に係止し、それ以上の開放を規制するとなりルーバが不用意に開放することを防止することができる。
【００１０】
第３の発明は、特に、第２の発明の開閉規制杆を、ルーバに固定した固定杆と、係止片を有する可動杆を備え、前記固定杆と可動杆をねじで羅合した構成とすることにより、ねじを外すことにより、係止片を有する可動杆を取り外すことが可能となりルーバの完全開放が必要な場合に、開閉規制の解除を容易に行うことができる。
【００１１】
第４の発明は、特に、第３の発明の可動杆は先端に上方に突起する係止片を備え、固定杆と可動杆を螺合するねじを緩めることにより、可動杆がねじを枢支軸として下方に回動することにより、前記係止片と本体との係止状態が解除される構成とすることにより、ルーバを規制位置まで開放した状態で、固定杆と可動杆を螺合したねじを緩めるだけで、規制状態を解除することができるとこととなり送風装置のメンテナンス等のルーバを完全に開放して実施する作業を簡単に行うことができる。
【００１２】
第５の発明は、特に、第１〜４のいずれか１つの発明のルーバの裏面にフィルタを着脱自在に収容することにより、ルーバを規制位置まで開放した状態で、フィルタの着脱を行うことが可能となりフィルタの清掃や交換を容易にかつ安全に行うことができる。
【００１３】
第６の発明は、特に、第１〜５のいずれか１つの発明において、ルーバの下端を枢支し、規制杆を左右両側部近傍に設置した構成とすることにより、ルーバは下端を回動軸として回動するため、ルーバの上辺と本体間に開口が出現することとなり、開口の上方からフィルタの着脱等を容易にかつ安全に行うことができる。
【００１４】
第７の発明は、特に、第１〜６のいずれか１つの発明の通気口部材を脱臭機に使用することにより、脱臭機のルーバはメンテナンスに必要十分な位置で、ルーバを停止保持することができることとなりフィルタの清掃や交換等のメンテナンスを容易にかつ安全に行うことができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における通気口部材を使用した脱臭機の斜視図を示すものであり、図２は通気口部材の閉止状態であるルーバが閉止位置にある状態の断面図を示し、図３は通気口部材の規制状態であるルーバが規制位置にある状態の断面図を示し、図４は通気口部材の開放状態であるルーバが開放位置にある状態の断面図を示し、図５は規制状態の開閉規制杆の詳細な側面図を示し、図６は開放状態の開閉規制杆の詳細な側面図を示すものである。
【００１７】
図１に示すように、本実施の形態の脱臭機は略直方体の本体１の前面下方に、複数の通気用のスリット２を有する樹脂成型品からなるルーバ３を揺動開閉自在に備えており、本体１の前面上端部には脱臭機の運転を操作するスイッチや表示装置を備えた操作部４が配置してある。
【００１８】
図２に示すように、本体１の内部には、下部にクロスフロータイプの送風装置５が設置
してある。送風装置５の前面は外気を吸引する吸気口６となっており、ルーバ３を通過した外気を吸引できるようになっている。また、送風装置５の上部には脱臭触媒７が斜めに配置してあり、送風装置５から送った空気が広い面積の脱臭触媒７を通過できる構成となっている。また、本体１の上面後部には脱臭触媒７を通過した空気を排出する排気口８が設置してある。
【００１９】
ルーバ３の裏面には空気中の埃を捕集するための不織繊維で構成したフィルタ９がスリット２の全面をカバーする範囲で設置してあり、フィルタ９は図３に示すようにルーバ３の上方より着脱自在となっている。また、ルーバ３の裏面の上部には、両側端部近傍に後方に突出した開閉規制杆１０が設置してある。
【００２０】
開閉規制杆１０の基本構成としては、ルーバ３と一体で成型した固定杆１１に金属性の可動杆１２をねじ１３で螺合した構成となっている。
【００２１】
図５、図６に詳細な構成を示すように、固定杆１１はルーバ３の裏面より後方に突出した略板状で、先端部には下方が突出した形状の突起受け１１ａが、略中央部には上方に開放したＵ字形状のねじ受け溝１１ｂが、元の部分には側方に突出したストパ受け１１ｃが一体で形成してある。
【００２２】
可動杆１２は金属板を板金加工して形成したものであり、先端部には上方に突出した係止片１２ａと、略中央部にはねじ１３を螺入するねじ穴１２ｃと、元の部分には後方に突出したストパ１２ｄが一体で形成してある。
【００２３】
図５は、固定杆１１と可動杆１２をねじ１３で螺合固定した状態を示すものであり、可動杆１２の位置決め突起１２ｂが固定杆１１の１１ａに当接することにより、係止片１２ａが所定の位置に固定できる構成となっている。
【００２４】
また、図６はねじ１３を緩めた状態を示すものであり、ねじ１３を緩めると可動杆１２は自重で先端が下方に回動するとともに、後部は上方に移動し、可動杆１２のストパ１２ｄが固定杆１１のストッパ受け１１ｃに当接した位置で停止することにより、係止片１２ａは低い位置に降下停止する構成となっている。
【００２５】
ルーバ３の下辺部には下方に突起した枢支片３ａが左右に２個形成してあり、枢支片３ａは本体１の前面下方に設けた枢支穴１ａにそれぞれ挿入することにより、ルーバ３は下辺を支点として前方に揺動することができる構成となっている。
【００２６】
図２に示すように、ルーバ３を本体１に閉止した閉止位置にある状態では、開閉規制杆１０は本体１の前面部に設けた係止穴１ｂを貫通してほぼ全体が本体１内に収容する構成となっている。
【００２７】
以上のように構成された通気口部材を使用した脱臭機について、以下その動作、作用を説明する。
【００２８】
まず、脱臭機の本体１の操作部４のスイッチを操作することにより、送風装置５が稼動し、本体１の前面に設置したルーバ３より外気の吸引を開始する。吸引した外気中に含まれる埃はフィルタ９で捕集し、きれいな空気が送風装置５を通過して脱臭触媒７へ送られ、脱臭触媒７を通過中に空気中に含まれる臭気を分解除去し、排気口８より臭気を除去した空気を室内に放出する。以上の動作を繰り返して実施することにより室内の空気を循環し、臭気を除去することができる。
【００２９】
上記、動作を長時間行うことにより、フィルタ９には埃が蓄積し空気の流通が悪くなるため、一定時間使用後にフィルタ９の清掃が必要となる。
【００３０】
フィルタ９の清掃時は、ルーバ３を手前に引っ張ることにより、図３に示すようにフィルタ３は下辺を支点として上辺が手前に出るように揺動し規制位置まで開放し、ルーバ３と本体１前面との間に開口が出現し、開口からルーバ３の裏面に設置したフィルタ９を取り出し、清掃をすることができる。
【００３１】
上記規制位置で規制した状態においては、開閉規制杆１０の係止片１２ａは係止穴１ｂ上部の本体に係止することにより、上記開口からフィルタ９の着脱が可能な必要最小限度の位置でルーバ３の開放を規制し、それ以上開放できないようになっており、作業前に電源を切り忘れて送風装置５の運転が継続されている場合でも、作業者が送風装置５に触れることがないようになっている。
【００３２】
また、送風装置５の修理等でルーバ３を完全に取り外して開放する必要がある場合は、図６に示すように、固定杆１１と可動杆１２を螺合しているねじ１３を緩めることにより、可動杆１２は自重で先端が下方に回動するとともに、後部は上方に移動し、可動杆１２のストパ１２ｄが固定杆１１のストッパ受け１１ｃに当接した位置で停止することにより、係止片１２ａ下方に移動し、係止穴１ｂより引き出すことが可能となり、ルーバ３は大きい角度で開放することができるので、その状態でルーバ３を上方に引き上げると、ルーバ３下辺の枢支片３ａは枢支穴１ａから離脱し、ルーバ３を本体１から完全に取り外すことができる。
【００３３】
また、開放状態から閉止状態に復帰させる場合には、固定杆１１と可動杆１２を図６に示す状態で、ねじ１３を適度に締め付けた半締めの状態で、可動杆１２を閉止位置に回動すると、固定杆１１の樹脂の弾性により、位置決め突起１２ｂは突起受け１１ａ衝撃を伴って落ち込むことにより、所定位置に設定できたことを容易に認知することができる。
【００３４】
また、固定杆１１のねじ受け溝１１ｂは上方に開放した溝状となっているので、開閉規制杆１０の組み立ておよび分解時には、可動杆１２にねじ１３をつけたままで上方から容易に取り付けることができる。
【００３５】
以上のように、本実施の形態の通風口部材を使用した脱臭機は、ルーバの裏面にルーバと一体で成型した固定杆と金属性の可動杆をねじで螺合した開閉規制杆を設置し、開閉規制杆の係止片を本体に係止する構成とすることにより、ルーバと本体との開口をフィルタの着脱に必要最小限度の開口に規制することができ、本体外部から送風装置に手が触れることがなく、フィルタの清掃時に脱臭機の電源を切り忘れた場合においても、作業の安全性を確保することができる。
【００３６】
また、開閉規制杆を固定杆と可動杆をねじで螺合する構成としたことにより、固定杆と可動杆を螺合したねじを緩めるだけで、規制状態を解除することができるとこととなり送風装置のメンテナンス等のルーバを完全に開放して実施する作業を簡単に行うことができる。
【産業上の利用可能性】
【００３７】
以上のように、本発明にかかる通気口部材は、送風装置を停止することを忘れた場合でも、作業の安全性を確保することが可能となるので、各種回転装置のメンテナンス用の扉などの用途にも適用できる。
【図面の簡単な説明】
【００３８】
【図１】本発明の第１の実施の形態における通気口部材を使用した脱臭機の斜視図
【図２】同通気口部材を使用した脱臭機の通気口部材が閉止位置の状態の断面図
【図３】同通気口部材を使用した脱臭機の通気口部材が規制位置の状態の断面図
【図４】同通気口部材を使用した脱臭機の通気口部材が開放位置の状態の断面図
【図５】同通気口部材を使用した脱臭機の規制状態の開閉規制杆の側面図
【図６】同通気口部材を使用した脱臭機の開放状態の開閉規制杆の側面図
【符号の説明】
【００３９】
１  本体
３  ルーバ
５  送風装置
６  吸気口（通気口）
９  フィルタ
１０  開閉規制杆
１１  固定杆
１２  可動杆
１２ａ  係止片
１３  ねじ
【図１】
2007135655.tif 000003
【図２】
2007135655.tif 000004
【図３】
2007135655.tif 000005
【図４】
2007135655.tif 000006
【図５】
2007135655.tif 000007
【図６】
2007135655.tif 000008